(57)【特許請求の範囲】
【請求項１】
移動体通信システムにおける無線通信端末であって、
無線基地局との通信品質に基づいて、ハンドオーバの対象となるセルを検出する検出部と、
前記検出部により検出されたセルの識別子の履歴を示す履歴情報を記憶する記憶部と、
前記検出部がセルを検出した際に、当該検出にかかるセルの識別子と、前記履歴情報に示される履歴に基づいて、当該検出にかかるセルにハンドオーバすべきか判定する判定部と、
前記判定部によりハンドオーバすべきでないと判定された場合に、前記検出にかかるセルへのハンドオーバを抑止する制御を実行する制御部とを備え、
前記記憶部は、自端末が所定のセル群への移動を繰り返すループ状態にある場合の前記所定のセル群を識別するデータを記憶し、
前記判定部は、前記履歴情報に示される履歴に基づいて、前記データを更新し、
前記判定部は、前記検出されたセルが前記データによって識別される前記所定のセル群に含まれる場合に、前記検出されたセルにハンドオーバすべきでないと判定し、
前記判定部は、前記データによって識別される前記所定のセル群に含まれないセルを前記検出部により検出した場合に、前記データの内容を消去し、前記検出されたセルにハンドオーバすべきと判定し、
前記判定部は、前記データが更新されてから所定時間が経過した場合に、前記データの内容にかかわらず、前記検出されたセルへのハンドオーバをすべきと判定する、無線通信端末。
【請求項２】
前記制御部によるハンドオーバの抑止の制御は、ハンドオーバを実行するための通信手順に含まれる、無線通信端末から無線基地局への通信処理を停止することによりなされる、請求項１記載の無線通信端末。
【請求項３】
ハンドオーバは、無線基地局から送出される無線信号の強度を含む所定のレポートを無線通信端末から無線基地局へ送信することにより開始され、
前記制御部によるハンドオーバの抑止の制御は、前記所定のレポートの無線基地局への送信を停止することによりなされる、請求項２記載の無線通信端末。
【請求項４】
前記制御部は、セルにおける通信品質が所定の閾値を下回る場合は、前記ハンドオーバを抑止する制御を解除する、請求項１記載の無線通信端末。
【請求項５】
前記判定部は、前記検出されたセルが前記履歴情報に示される履歴に含まれる場合に、当該セルにハンドオーバすべきでないと判定する、請求項１記載の無線通信端末。
【請求項６】
前記判定部は、前記検出されたセルが前記履歴情報に示される履歴に含まれる場合に、当該セルおよび過去に当該セルが検出された時点以降に検出されたセルを前記所定のセル群とし、前記所定のセル群を識別する前記データを前記記憶部に書込む、請求項１記載の無線通信端末。
【請求項７】
移動体通信システムにおける無線通信端末を制御するための方法であって、
前記無線通信端末は、無線通信モジュールと、メモリと、プロセッサとを備え、
前記方法は、
前記プロセッサが、前記無線通信モジュールによる無線基地局との無線通信の通信品質に基づいて、ハンドオーバの対象となるセルを検出するステップと、
前記プロセッサが、前記検出されたセルの識別子の履歴を示す履歴情報をメモリに記憶させるステップと、
前記プロセッサが、セルを検出した際に、当該検出にかかるセルの識別子と、前記履歴情報に示される履歴とに基づいて、当該検出にかかるセルにハンドオーバすべきか判定するステップと、
前記プロセッサが、ハンドオーバすべきでないと判定した場合に、前記検出にかかるセルへのハンドオーバを抑止する制御を実行するステップとを含み、
前記メモリは、自端末が所定のセル群への移動を繰り返すループ状態にある場合の前記所定のセル群を識別するデータを記憶し、
前記判定するステップは、
前記プロセッサが、前記履歴情報に示される履歴に基づいて、前記データを更新するステップと、
前記プロセッサが、前記検出されたセルが前記データによって識別される前記所定のセル群に含まれる場合に、前記検出されたセルにハンドオーバすべきでないと判定するステップと、
前記プロセッサが、前記データによって識別される前記所定のセル群に含まれないセルが検出された場合に、前記データの内容を消去し、前記検出されたセルにハンドオーバすべきと判定するステップと、
前記プロセッサが、前記データが更新されてから所定時間が経過した場合に、前記データの内容にかかわらず、前記検出されたセルへのハンドオーバをすべきと判定するステップとを含む、方法。
【請求項８】
移動体通信システムにおける無線通信端末を制御するためのプログラムであって、
前記無線通信端末は、無線通信モジュールと、メモリと、プロセッサとを備え、
前記プログラムは、前記プロセッサに、
前記無線通信モジュールによる無線基地局との無線通信の通信品質に基づいて、ハンドオーバの対象となるセルを検出させるステップと、
前記検出されたセルの識別子の履歴を示す履歴情報を、メモリに記憶させるステップと、
セルが検出された際に、当該検出にかかるセルの識別子と、前記履歴情報に示される履歴とに基づいて、当該検出にかかるセルにハンドオーバすべきか判定させるステップと、
ハンドオーバすべきでないと判定された場合に、前記検出にかかるセルへのハンドオーバを抑止する制御を実行させるステップとを含み、
前記メモリは、自端末が所定のセル群への移動を繰り返すループ状態にある場合の前記所定のセル群を識別するデータを記憶し、
前記判定させるステップは、前記プロセッサに、
前記履歴情報に示される履歴に基づいて、前記データを更新させるステップと、
前記検出されたセルが前記データによって識別される前記所定のセル群に含まれる場合に、前記検出されたセルにハンドオーバすべきでないと判定させるステップと、
前記データによって識別される前記所定のセル群に含まれないセルが検出された場合に、前記データの内容を消去させ、前記検出されたセルにハンドオーバすべきと判定させるステップと、
前記データが更新されてから所定時間が経過した場合に、前記データの内容にかかわらず、前記検出されたセルへのハンドオーバをすべきと判定するステップとを含む、プログラム。
【発明の詳細な説明】
【技術分野】
【０００１】
本発明は、移動体通信システムにおける無線通信端末に関するものであり、特に、無線通信端末によるハンドオーバの制御に関する。
【背景技術】
【０００２】
移動体通信システムでは、無線通信端末が移動しても通話やデータ通信などが途切れないようハンドオーバ技術が用いられている。ハンドオーバ技術により、無線通信端末は、通信先の無線基地局を、通信品質のより良いものへと次々と切り替えていくことができる。
【０００３】
こうしたハンドオーバの制御は、通信品質を一定に保つためになされることもある。例えば無線基地局が主体となって、無線基地局の通信圏内（セル）に収容する無線通信端末の数を制限する。これによりセルにおける通信品質が一定に保たれる。
【０００４】
また、特開２００２−１９０７６９号公報（下記の特許文献１）には、無線通信端末がハンドオーバの実行を制御する技術が開示されている。特許文献１は、PHS（Personal  Handyphone  System）方式やPDC（Personal  Digital  Cellular）方式など複数の通信方式に対応した無線通信端末において、無線通信端末の移動速度に対応して通信方式を選択する技術が開示されている。特許文献１では、無線通信端末の移動速度が速い場合は、無線通信端末は、ハンドオーバを頻発して実行することによる遅延を回避するために、セルが広いPDC方式を選択する。一方、移動速度が遅い場合は、ハンドオーバが発生しにくいためデータ通信速度が速いPHS方式が選択される。これにより特許文献１の発明では、ハンドオーバの頻発を回避して通信が中断しにくくなる。
【先行技術文献】
【特許文献】
【０００５】
【特許文献１】特開２００２−１９０７６９号公報
【発明の概要】
【発明が解決しようとする課題】
【０００６】
ハンドオーバは、無線通信端末における無線基地局からの電波の受信レベルの変化に基づいて開始される。そのため、無線通信端末がセルの境界付近に位置していると、建造物や周囲の環境により、隣接するセルとのハンドオーバが発生しやすくなる。無線通信端末がハンドオーバを頻発して実行することにより、データ通信速度が一時的に低下し、ストリーミングデータで音声が途切れるなどデータの不連続が発生しやすくなる。
【０００７】
また、無線通信端末がハンドオーバを頻発して実行することに伴って、無線通信端末と無線基地局との通信が多発して無線通信端末の電池の消耗が早まってしまうおそれもある。
【０００８】
そこで、本発明は、無線通信端末によるハンドオーバ処理の頻発を抑止して、ハンドオーバに伴うデータ遅延や不連続を抑制することを目的とする。
【課題を解決するための手段】
【０００９】
本発明は、移動体通信システムにおける無線通信端末であって、無線基地局との通信品質に基づいて、ハンドオーバの対象となるセルを検出する検出部と、検出部により検出されたセルの識別子の履歴を示す履歴情報を記憶する記憶部と、検出部がセルを検出した際に、検出にかかるセルの識別子と、履歴情報に示される履歴に基づいて、検出にかかるセルにハンドオーバすべきか判定する判定部と、判定部によりハンドオーバすべきでないと判定された場合に、検出にかかるセルへのハンドオーバを抑止する制御を実行する制御部と、を備える。
【００１０】
好ましくは、制御部によるハンドオーバの抑止の制御は、ハンドオーバを実行するための通信手順に含まれる、無線通信端末から無線基地局への通信処理を停止することによりなされることとしてもよい。
【００１１】
好ましくは、ハンドオーバは、無線基地局から送出される無線信号の強度を含む所定のレポートを無線通信端末から無線基地局へ送信することにより開始され、制御部によるハンドオーバの抑止の制御は、所定のレポートの無線基地局への送信を停止することによりなされることとしてもよい。
【００１２】
好ましくは、制御部は、セルにおける通信品質が所定の閾値を下回る場合は、ハンドオーバを抑止する制御を解除することとしてもよい。
【００１３】
好ましくは、判定部は、検出されたセルが履歴情報に示される履歴に含まれる場合に、セルにハンドオーバすべきでないと判定することとしてもよい。
【００１４】
好ましくは、判定部は、履歴情報に示される履歴に基づいて、自端末が所定時間内に所定のセル群の移動を繰り返すループ状態にある場合に、所定のセル群へはハンドオーバすべきでないと判定し、ループ状態にかかるセル群とは、検出されたセルが履歴に含まれる場合に、セルおよび過去にセルが検出された時点以降に検出された１以上のセルにより形成されることとしてもよい。
【００１５】
好ましくは、記憶部は、自端末によるハンドオーバの実行を抑止するセルを示すループリストを記憶し、判定部は、履歴情報に示される履歴に基づいて、ループリストを更新し、検出されたセルがループリストに含まれる場合に、セルとハンドオーバすべきでないと判定することとしてもよい。
【００１６】
好ましくは、判定部は、検出されたセルが履歴情報に示される履歴に含まれる場合に、セルおよび過去にセルが検出された時点以降に検出されたセルをループリストに登録することとしてもよい。
【００１７】
好ましくは、判定部は、ループリストに含まれないセルを検出部により検出した場合に、ループリストの登録内容を消去し、ループリストに含まれないセルにハンドオーバすべきと判定することとしてもよい。
【００１８】
好ましくは、判定部は、ループリストが更新されてから所定時間が経過した場合に、ループリストの登録内容にかかわらず、検出されたセルへのハンドオーバをすべきと判定することとしてもよい。
【００１９】
別の実施形態に従うと、移動体通信システムにおける無線通信端末を制御するための方法が提供される。無線通信端末は、無線通信モジュールと、メモリと、プロセッサとを備えている。この方法は、プロセッサが、無線通信モジュールによる無線基地局との無線通信の通信品質に基づいて、ハンドオーバの対象となるセルを検出するステップと、プロセッサが、検出されたセルの識別子の履歴を示す履歴情報をメモリに記憶させるステップと、プロセッサが、セルを検出した際に、検出にかかるセルの識別子と、履歴情報に示される履歴とに基づいて、検出にかかるセルにハンドオーバすべきか判定するステップと、プロセッサが、ハンドオーバすべきでないと判定した場合に、検出にかかるセルへのハンドオーバを抑止する制御を実行するステップとを含む。
【００２０】
別の実施形態に従うと、移動体通信システムにおける無線通信端末を制御するためのプログラムが提供される。無線通信端末は、無線通信モジュールと、メモリと、プロセッサとを備えている。プログラムは、プロセッサに、無線通信モジュールによる無線基地局との無線通信の通信品質に基づいて、ハンドオーバの対象となるセルを検出させるステップと、検出されたセルの識別子の履歴を示す履歴情報を、メモリに記憶させるステップと、セルが検出された際に、検出にかかるセルの識別子と、履歴情報に示される履歴とに基づいて、検出にかかるセルにハンドオーバすべきか判定するステップと、ハンドオーバすべきでないと判定された場合に、検出にかかるセルへのハンドオーバを抑止する制御を実行させるステップとを含む。
【発明の効果】
【００２１】
本発明によると、無線通信端末によるハンドオーバ処理の頻発を抑止することができ、ハンドオーバに伴うデータ遅延やデータの不連続を抑制することができる。
【図面の簡単な説明】
【００２２】
【図１】無線通信端末１００を含む移動体通信システム１の一部の構成を示す図である。
【図２】無線通信端末１００の構成を示す機能ブロック図である。
【図３】LTEにおけるハンドオーバのシーケンスを示す図である。
【図４】履歴情報１４およびループリスト１５を示す図である。
【図５】無線通信端末１００の制御部１６の動作を示すフローチャートである。
【図６】ＨＯ判定部１８の動作を示すフローチャートである。
【図７】ＨＯ判定部１８が移動のループが発生しているか判断してループリスト１５を作成する処理を示す図である。
【図８】２つのセル間でのループを示す図である。
【図９】３つのセル間でのループを示す図である。
【発明を実施するための形態】
【００２３】
＜１  全体構成＞
以下、本発明の一実施形態にかかる無線通信端末１００について図面を用いて説明する。
【００２４】
図１は、無線通信端末１００を含む移動体通信システム１の一部の構成を示す図である。
【００２５】
図１に示すように、移動体通信システム１は、無線通信端末１００と、基地局２００と、基地局３００と、基地局４００とを含む。同図では、無線通信端末１００以外の無線通信端末や、基地局２００等以外の無線基地局を図示していない。
【００２６】
基地局２００、基地局３００、基地局４００は、ＬＴＥ（Long  Term  Evolution）方式に対応した無線基地局である。
【００２７】
無線基地局は、周囲の一定範囲のエリア内にある無線通信端末と無線で通信する。無線基地局がカバーする上記一定範囲のエリアを「セル」という。基地局２００、３００、４００のそれぞれのセルを、セル２０１、セル３０１、セル４０１として図１に示す。
【００２８】
無線通信端末１００は、ハンドオーバの実行により、各セルを移動しつつ各セルに対応した無線基地局と通信する。
【００２９】
本実施形態では、無線通信端末１００がセルの境界付近に存在して所定のセル間の移動のループが発生している場合に、無線通信端末１００は、ハンドオーバ（ＨＯ：Hand  Over）開始の契機となる処理をしないことでハンドオーバ実行を抑止する。以下、詳しく説明する。
【００３０】
＜２  無線通信端末１００の構成＞
図２は、無線通信端末１００の構成を示す機能ブロック図である。
【００３１】
＜２．１  無線通信端末１００の概要＞
図２に示すように、無線通信端末１００は、ＣＤＭＡ（Code  Division  Multiple  Access）無線通信部２１と、ＣＤＭＡアンテナ２２と、ＬＴＥ無線通信部３１と、ＬＴＥアンテナ３２と、ＷｉＦｉ無線通信部４１と、ＷｉＦｉアンテナ４２と、ベースバンド部１０と、表示部６と、音声出力部７と、音声入力部８と、操作部９と、を備える。
【００３２】
ＣＤＭＡ無線通信部２１は、ＣＤＭＡによる通信方式に対応している。ＣＤＭＡ無線通信部２１は、増幅器等を含み、ベースバンド部１０からの信号をアンテナ送信周波数へと変換し、また、アンテナ受信信号をベースバンド部１０で処理できる周波数へと変換する。
【００３３】
ＣＤＭＡ無線通信部２１は、音声通信や、他の無線通信端末やインターネットに接続されたＷｅｂサーバ等からのデータ通信にかかる無線信号をＣＤＭＡアンテナ２２で受信する。ＣＤＭＡ無線通信部２１は、この受信信号に対して信号処理等を行ってベースバンド部１０に出力する。また、ＣＤＭＡ無線通信部２１は、ベースバンド部１０で生成された送信信号に対して信号処理等を行って、処理後の送信信号を、ＣＤＭＡアンテナ２２を通じて、無線基地局を介して他の無線通信端末やインターネットに接続された通信装置に対して送信する。
【００３４】
ＬＴＥ無線通信部３１は、ＬＴＥによる通信方式に対応している。ＬＴＥ無線通信部３１は、増幅器等を含み、ベースバンド部１０からの信号をアンテナ送信周波数へと変換し、また、アンテナ受信信号をベースバンド部１０で処理できる周波数へと変換する。すなわち、ＬＴＥ無線通信部３１は、無線基地局を介してデータ通信にかかる無線信号をＬＴＥアンテナ３２で受信すると、この受信信号に対して信号処理等を行ってベースバンド部１０に出力する。また、ＬＴＥ無線通信部３１は、ベースバンド部１０で生成された送信信号に対して信号処理等を行って、処理後の送信信号を、ＬＴＥアンテナ３２を通じて送信する。
【００３５】
ＷｉＦｉ無線通信部４１は、ＷｉＦｉによる通信方式に対応しており、ベースバンド部１０からの信号をアンテナ送信周波数へと変換し、また、アンテナ受信信号をベースバンド部１０で処理できる周波数へと変換する。ＷｉＦｉ無線通信部４１は、ベースバンド部１０で生成された送信信号に対して信号処理等を行って、処理後の送信信号を、ＷｉＦｉアンテナ４２を通じて送信する。
【００３６】
表示部６は、ディスプレイ等を備え、後述するベースバンド部１０によって制御されることによって、文字、記号、図形などの各種情報を表示する。
【００３７】
音声出力部７は、スピーカ等を備え、ベースバンド部１０からの音声データを音声に変換して外部に出力する。
【００３８】
音声入力部８は、マイク等を備え、外部から入力される音声を音声データに変換してベースバンド部１０に出力する。
【００３９】
操作部９は、キーパッド等を備えて、ユーザからの操作を検出してベースバンド部１０に出力する。
【００４０】
ベースバンド部１０は、記憶部１３、制御部１６、ＣＤＭＡ処理部２３、ＬＴＥ処理部３３、ＷｉＦｉ処理部４３、を含む。ベースバンド部１０は、図示しないＣＰＵ（Central  Processing  Unit）を備えている。このＣＰＵが記憶部１３に格納されたプログラムを読み出して実行することにより、ベースバンド部１０は、制御部１６等の機能を発揮して無線通信端末１００の動作を統括的に管理する。
【００４１】
＜２．２  ベースバンド部１０の構成＞
無線通信端末１００の構成について詳しく説明する。
【００４２】
記憶部１３は、ＲＯＭ(Read  Only  Memory）及びＲＡＭ（Random  Access  Memory）等で構成されており、プログラムやデータを格納している。記憶部１３には、後述する履歴情報１４と、ループリスト１５とが記憶されている。
【００４３】
ＣＤＭＡ処理部２３は、ＣＤＭＡ方式による通信に対応しており、送受信されるデータについて変調処理および復調処理を行う。
【００４４】
ＬＴＥ処理部３３は、ＬＴＥ方式による通信に対応しており、送受信されるデータについて変調処理および復調処理を行う。
【００４５】
ＷｉＦｉ処理部４３は、ＩＥＥＥ８０２．１１規格による通信（ＩＥＥＥ８０２．１１ｎなど）に対応しており、送受信されるデータについて変調処理および復調処理を行う。
【００４６】
制御部１６は、無線通信端末１００のデータ処理を制御する。具体的には、制御部１６は、セル検出部１７、ＨＯ判定部１８、ＨＯ制御部１９を含む。
【００４７】
セル検出部１７は、基地局２００等から送信される無線信号の信号強度等に基づいて、ハンドオーバの対象となるセルを検出する。本実施形態では、無線通信端末１００はLTE方式に対応したハンドオーバの制御をするものとして説明している。LTEにおいては、ハンドオーバは、Measurement  Reportの送信をトリガーとして開始される。セル検出部１７は、基地局２００等から送信される無線信号の信号強度の測定結果等に基づいて、Measurement  Reportの送信条件を満たすか判定する。セル検出部１７によるハンドオーバの対象となるセルの検出は、本実施形態では、以下のようになされる。すなわち、セル検出部１７は、上述のように基地局からの無線信号の信号強度を測定して、Measurement  Reportの送信条件を満たすか逐次判定し、送信条件を満たすセルがあった場合に、ハンドオーバの対象となるセルを検出したとする。
【００４８】
ＨＯ判定部１８は、セル検出部１７によりハンドオーバの対象となる無線基地局が検出された際に、ハンドオーバを実行すべきか判定する。詳しくは後述する。
【００４９】
本実施形態では、上述のようにLTE方式に対応したハンドオーバの制御を例にして説明している。そこで、LTEにおけるハンドオーバの方式について説明する。
【００５０】
図３は、LTEにおけるハンドオーバのシーケンスを示す図である。
同図において、「UE」は移動局（UE:User  Equipment）、「Source  eNB」はハンドオーバ元となる無線基地局（eNB:eNodeB）、「Target  eNB」はハンドオーバ先となる無線基地局、「MME」は交換局（Mobility  Management  Entity）、「S-GW」はServing  Gatewayである。また、同図中において「ＨＯ」はハンドオーバを示す。
【００５１】
同図に示すように、ハンドオーバは、UEが受信信号の品質を測定してMeasurement  Reportを送信する条件に合致するか判定し、Measurement  ReportをSource  eNBへ送信することにより開始される。
【００５２】
UEによるMeasurement  Reportの送信の契機となるイベントは様々ある。例えば、下記のEVENT  A1〜A5、B1〜B2などである。無線基地局をサーチする条件や通信に関する周波数などの情報が無線基地局からUEへと通知される。UEでは、この情報に従って近隣基地局を測定し、無線基地局へMeasurement  Reportを送信する。無線基地局は、このようにして通知されたMeasurement  Reportに基づいて、UEに対してハンドオーバを指示する。
【００５３】
なお下記において、「Serving  Cell」はUEが接続中のセルである。また「IRAT」は、inter-RAT（radio  access  technology）のことであり、他のネットワークを示す。inter-RAT  handoverは、他のネットワークへのハンドオーバであり、例えばLTEからWCDMA（Wideband  Code  Division  Multiple  Access）、LTEからEVDO（Evolution  Data  Only）などへのハンドオーバである。
【００５４】
Measurementで計測される値としては、受信信号の強さを示すRSRP（Reference  Signal  Received  Power）や受信信号の品質を示すRSRQ（Reference  Signal  Received  Quality）が規定されている。
Event  A1  (Serving  Cellの通信品質＞閾値)
Event  A2  (Serving  Cellの通信品質＜閾値)
Event  A3  (オフセット加算の結果、隣接Cellの通信品質＜Serving  Cellの通信品質)
Event  A4  (隣接Cellの通信品質＞閾値)     
Event  A5  (Serving  Cellの通信品質＜閾値１  かつ  隣接Cellの通信品質＞閾値２)
Event  B1  (隣接IRAT  Cell＞閾値)
Event  B2  (Serving  Cellの通信品質＜閾値１  かつ  隣接IRAT  Cell＞閾値２)
＜３  無線通信端末１００のデータ＞
次に、記憶部１３に格納されている履歴情報１４およびループリスト１５について説明する。
【００５５】
図４は、履歴情報１４およびループリスト１５を示す図である。
＜３．１  履歴情報１４＞
図４（ａ）に示すように、履歴情報１４は、無線通信端末１００がセル検出部１７によりハンドオーバの対象として検出したセル（例えば、Measurement  Report送信の契機となるイベントに示される条件を満たす時の隣接基地局にかかるセル）の履歴を示す。セル検出部１７によりセルが検出される都度、履歴情報１４が更新される。履歴情報１４に示されるセルの検出履歴には、履歴番号１４１と、時間１４２と、セルＩＤ１４３とが含まれる。
【００５６】
履歴番号１４１は、セル検出部１７により検出されたセルの履歴を区別するための番号であり、検出された順に付与される。同図では、履歴番号１４１の番号「０」から順に、検出の都度、番号「１」「２」と検出されたセルの識別子を格納していくものとしている。
【００５７】
時間１４２は、セル検出部１７により各セルが検出された時点を示す。同図では、履歴番号１４１の番号「０」に示されるセルの検出時点を起点として、以降のセル検出部１７によるセル検出までに経過した時間を時間１４２に格納している。
【００５８】
セルＩＤ１４３は、セル検出部１７によりハンドオーバの対象として検出されたセルを識別するデータが格納される。なお、無線基地局等を識別するために用いられているセルの識別子（Cell  Identity）と、セルＩＤ１４３に格納するデータとを対応付けて記憶することとしてもよい。同図では、セルＩＤ１４３に格納するデータを、セルＩＤ「１」等としている。
【００５９】
例えば、レコード１４−０に示すように、履歴番号１４１の番号「０」のセルを検出した時点を時間１４２の時間「１」とする。以降、セル検出部１７によりセルが検出されると、レコード１４−１に示すように、時間１４２には、レコード１４−０の時点からの経過時間（レコード１４−１では「１００」）を格納し、新たに検出されたセルを識別するデータ（レコード１４−１では「１」）をセルＩＤ１４３に格納する。
【００６０】
＜３．２  ループリスト１５＞
また、図４（ｂ）に示すように、ループリスト１５は、無線通信端末１００の移動において一定時間内に移動のループが発生しており、無線通信端末１００によるハンドオーバの実行を抑止するセルのリストを示している。
【００６１】
ループリスト１５には、セルを識別するデータが格納される。セルを識別するデータは、履歴情報１４のセルＩＤ１４３に格納されるデータと対応している。
【００６２】
＜４  無線通信端末１００の動作＞
無線通信端末１００の動作について説明する。
【００６３】
＜４．１  無線通信端末１００の動作の概要＞
図５は、無線通信端末１００の制御部１６の動作を示すフローチャートである。
【００６４】
同図に示すように、制御部１６は、無線通信端末１００が接続している現在のセルのセルＩＤと時間を履歴情報１４に書き込む（Ｓ５０１）。
【００６５】
制御部１６は、セル検出部１７によりMeasurement  Report送信のトリガーに合致するセルを検出する（Ｓ５０３）。このとき、セル検出部１７は、Measurement  Report送信のトリガーに合致するセルのセルＩＤを履歴情報１４に書き込み、履歴情報１４における履歴番号１４１の番号「０」の書き込み時点からの経過時間を履歴情報１４に書き込む。
【００６６】
制御部１６は、セル検出部１７によりセルが検出されると、ＨＯ判定部１８により当該セルとハンドオーバをすべきか判定する（Ｓ５０５）。このステップＳ５０５の処理については後述する。
【００６７】
制御部１６は、ＨＯ制御部１９によりステップＳ５０５における判定結果に応じた処理を実行する。ＨＯ制御部１９は、ハンドオーバすべきと判定された場合は（Ｓ５０７：ＹＥＳ）、ステップＳ５０９へ進む。また、ステップＳ５０５においてハンドオーバすべきでないと判定された場合は（Ｓ５０７：ＮＯ）、ステップＳ５０３の処理に戻る。
【００６８】
ＨＯ判定部１８によりハンドオーバすべきと判定された場合（Ｓ５０７：ＹＥＳ）、制御部１６は、履歴情報１４およびループリスト１５の登録内容をクリアする（Ｓ５０９）。
【００６９】
続いて、制御部１６は、ハンドオーバすべきと判定されたセルについて、ＨＯ制御部１９によりハンドオーバを実行する。具体的には、ＨＯ制御部１９は、Measurement  Reportを、現在接続中のセルに送信することにより図３に示したハンドオーバを実行する（Ｓ５１１）。
【００７０】
＜４．２  ＨＯ判定部１８による判定処理＞
上述したステップＳ５０５の処理について詳しく説明する。
【００７１】
図６は、ＨＯ判定部１８の動作を示すフローチャートである。
同図に示すように、ＨＯ判定部１８は、ループリスト１５に、移動のループが発生しているセルのリストがあるか判断する（Ｓ６０１）。なおループリスト１５の作成方法については後述する。
【００７２】
＜４．２．１  ループリスト１５にセルのリストがある場合＞
移動のループが発生しているセルのリストがあれば（Ｓ６０１：ＹＥＳ）、ＨＯ判定部１８は、前回の検出時点、すなわち、ステップＳ５０３において履歴情報１４に書き込まれたレコードの１件前のレコードに示される時点から今回の検出までに所定時間以上経過しているか判断する（Ｓ６０２）。すなわち、ステップＳ５０３において履歴情報１４に書き込んだ最新のレコードの時間１４２に示される時点と、その１件前のレコードの時間１４２に示される時点との差分が所定の閾値以上（例えば、数秒以上経過しているか）か判断する。
【００７３】
ステップＳ６０２において、前回の検出時点から所定時間以上経過していると判断されると（Ｓ６０２：ＹＥＳ）、ＨＯ判定部１８は、ハンドオーバすべきと判定する（Ｓ６１１）。
【００７４】
ステップＳ６０２において、前回の検出時点から所定時間以上経過していないと判断されると（Ｓ６０２：ＮＯ）、ＨＯ判定部１８は、ループリスト１５が有効とみなして、ステップＳ５０３において検出されたセルがループリスト１５に含まれるか判断する（Ｓ６０３）。
【００７５】
ステップＳ６０３において、セル検出部１７により検出されたセルがループリスト１５に含まれないと判断されると（Ｓ６０３：ＮＯ）、ＨＯ判定部１８は、ハンドオーバすべきと判定する（Ｓ６１１）。
【００７６】
ステップＳ６０３において、ＨＯ判定部１８は、セル検出部１７により検出されたセルがループリスト１５に含まれると判断されると（Ｓ６０３：ＹＥＳ）、現在接続しているセルの通信品質が許容範囲内であるか判断する（Ｓ６０９）。具体的には、本実施形態では、現在接続中のセルの信号強度（RSRP）が所定の閾値以上であれば、通信品質が許容範囲内と判断し（Ｓ６０９：ＹＥＳ）、閾値を下回る場合は、通信品質が許容範囲内ではないと判断する（Ｓ６０９：ＮＯ）。
【００７７】
ステップＳ６０９において、現在接続中のセルの通信品質が許容範囲内でなければ（Ｓ６０９：ＮＯ）、ＨＯ判定部１８は、ハンドオーバすべきと判定する（Ｓ６１１）。
【００７８】
ステップＳ６０９において、現在接続中のセルの通信品質が許容範囲内であれば（Ｓ６０９：ＹＥＳ）、ＨＯ判定部１８は、ハンドオーバすべきでないと判定する（Ｓ６１３）。
【００７９】
＜４．２．２  ループリスト１５にセルのリストがない場合＞
ステップＳ６０１において、ループリスト１５にセルのリストがないと判断される場合（Ｓ６０１：ＮＯ）を説明する。
【００８０】
この場合、ＨＯ判定部１８は、ステップＳ５０３において検出されたセルが、履歴情報１４に含まれているか、すなわち、過去に検出されたセルであり、移動のループが発生しているか判断する（Ｓ６０５）。この処理は後述する。
【００８１】
ステップＳ６０５において、履歴情報１４に含まれていないセルと判断されると（Ｓ６０５：ＮＯ）、ＨＯ判定部１８は、ハンドオーバすべきと判定する（Ｓ６１１）。
【００８２】
ステップＳ６０５において、履歴情報１４に含まれているセルと判断されると（Ｓ６０５：ＹＥＳ）、移動のループが発生しているとみなして、ループリスト１５を作成する（Ｓ６０７）。その後、ステップＳ６０９の処理に進み、上記と同様の処理となる。
【００８３】
ここで、ステップＳ６０５の処理について詳しく説明する。
図７は、ＨＯ判定部１８が移動のループが発生しているか判断してループリスト１５を作成する処理を示す図である。
【００８４】
図７の例では、ステップＳ５０３において検出されたセル（セルＩＤ：１）が履歴番号１４１の番号「４」に最新のセルとして書き込まれる。
【００８５】
ＨＯ判定部１８は、最新のセルの直近の検出履歴から番号順に、同一ＩＤのセルを過去に検出したか履歴情報１４において探索していく（手順１）。図示する例では、履歴番号１４１の番号「３」から順に「２」「１」とセルID１４３を参照して探索していく。
【００８６】
探索の結果、同一ＩＤのセルの検出が過去にあった場合は（手順２）、ＨＯ判定部１８は、その履歴番号１４１の番号を保持し（手順３）、その番号から直近の検出履歴の履歴番号１４１の番号までのセルをループリスト１５に含める（手順４）。図示する例では、履歴番号１４１の番号「１」において、セルＩＤ：１を検出し（手順２）、その履歴番号１４１の番号「１」を保持する（手順３）。保持している番号「１」から、直近の検出履歴の番号「３」までのセルID１４３に示されるセルを、ループリスト１５の要素とする（手順４）。
【００８７】
一方、全ての履歴を探索して、同一ＩＤのセルが検出されなかった場合は、ＨＯ判定部１８は、ステップＳ５０３において検出されたセルが履歴情報１４に含まれないと判断する（Ｓ６０５：ＮＯ）。
【００８８】
＜４．３  ２つのセル間を移動する場合の具体例＞
ここで、２つのセル間を移動するループにある場合について、図面を用いて具体的に説明する。
【００８９】
図８は、２つのセル間でのループを示す図である。
なお、基地局２００のセルＩＤを「１」、基地局３００のセルＩＤを「２」、基地局４００のセルＩＤを「３」とする。無線通信端末１００が基地局３００および基地局４００の間を頻繁に移動するものとして説明する。
【００９０】
同図では、履歴情報１４の一部を示している。同図に示すように、無線通信端末１００は、セルＩＤ「３」と「２」の間の移動を繰り返しており、移動のループが発生している。上記で説明した無線通信端末１００の動作により、無線通信端末１００は、履歴番号１４１の番号「４」にかかるセルの検出時点でループを検出し（Ｓ６０５：ＹＥＳ）、ループリスト１５を作成する（Ｓ６０７）。作成されたループリスト１５には、セルＩＤ「３」「２」が含まれる。
【００９１】
以降、無線通信端末１００は、ループリスト１５に示されるセルを検出する都度（Ｓ６０３：ＹＥＳ）、所定の処理を経て（ステップＳ６０９等）、ループに含まれないセルを検出するまでハンドオーバを実行しない（ステップＳ６１１、ステップＳ５０７：ＮＯ）。
【００９２】
無線通信端末１００は、履歴番号１４１の番号「９」でセルＩＤ「１」のセル、すなわちループリスト１５に含まれないセルを検出することにより（Ｓ６０３：ＮＯ）、ハンドオーバを実行する（ステップＳ６１１、ステップＳ５１１）。
【００９３】
＜４．４  ３つのセル間を移動する場合の具体例＞
別の例として、３つのセル間を移動するループにある場合について、図面を用いて具体的に説明する。
【００９４】
図９は、３つのセル間でのループを示す図である。
図８と同様に、基地局２００のセルＩＤを「１」、基地局３００のセルＩＤを「２」、基地局４００のセルＩＤを「３」とする。図９の例では、無線通信端末１００が基地局２００、基地局３００、基地局４００の間を頻繁に移動するものとして説明する。
【００９５】
同図に履歴情報１４の一部を示している。履歴情報１４に示すように、無線通信端末１００は、セルＩＤ「１」「２」「３」の移動を繰り返しており、移動のループが発生している。
【００９６】
無線通信端末１００は、履歴番号１４１の番号「４」の時点でループを検出し（Ｓ６０５：ＹＥＳ）、ループリスト１５を作成する（Ｓ６０７）。作成されたループリスト１５には、セルＩＤ「１」「２」「３」が含まれる。
【００９７】
以降、無線通信端末１００は、履歴番号１４１の番号「９」でセルＩＤ「４」のセル、すなわちループリスト１５に含まれないセルを検出するまではハンドオーバを抑止する（ステップＳ６１１、ステップＳ５０７：ＮＯ）。セルＩＤ「４」のセル、すなわちループリスト１５に含まれないセルを検出すると、ハンドオーバを実行する（ステップＳ６１１、ステップＳ５１１）。
【００９８】
＜５  変形例＞
以上のように発明の一実施形態について説明してきた。この他にも以下のように変形することができる。
【００９９】
（複数の通信方式間のハンドオーバ）
上記実施形態の説明では、基地局がＬＴＥ方式に対応した通信を行う場合の無線通信端末１００のハンドオーバ制御について説明してきた。この他にも、異なる通信方式の基地局へのハンドオーバ時も、同様に無線通信端末１００からハンドオーバ開始の契機となる処理（基地局からの信号品質の測定結果の送信など）を停止することで、上記と同様にハンドオーバの頻発を抑止することができる。
【０１００】
例えば、ＬＴＥからＷ−ＣＤＭＡ（Wideband  Code  Division  Multiple  Access）などの３Ｇシステムへのハンドオーバ時も上記と同様の動作をすることができる。なお、このように、異なるシステム間でのハンドオーバをinter-RAT（Radio  Access  Technology）ハンドオーバという。
【０１０１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【産業上の利用可能性】
【０１０２】
本発明は、移動体通信システムなどにおける無線通信端末に用いることができる。
【符号の説明】
【０１０３】
１  移動体通信システム、６  表示部、７  音声出力部、８  音声入力部、９  操作部、１０  ベースバンド部、１３  記憶部、１４  履歴情報、１５  ループリスト、１６  制御部、１７  セル検出部、１８  ＨＯ判定部、１９  ＨＯ制御部、２１  ＣＤＭＡ無線通信部、３１  ＬＴＥ無線通信部、４１  ＷｉＦｉ無線通信部、２２  ＣＤＭＡアンテナ、３２  ＬＴＥアンテナ、４２  ＷｉＦｉアンテナ、２３  ＣＤＭＡ処理部、３３  ＬＴＥ処理部、４３  ＷｉＦｉ処理部、１００  無線通信端末、２００，３００，４００  基地局、２０１，３０１，４０１  セル。
【図１】
0005896803.tif 000002
【図２】
0005896803.tif 000003
【図３】
0005896803.tif 000004
【図４】
0005896803.tif 000005
【図５】
0005896803.tif 000006
【図６】
0005896803.tif 000007
【図７】
0005896803.tif 000008
【図８】
0005896803.tif 000009
【図９】
0005896803.tif 000010